(57)【要約】【課題】生体情報を収集する機能を複数備えていても操作性の良い生体情報収集装置を提供すること。【解決手段】生体情報を収集する機能を実行させる操作モードを記録する記録部と、予め設定された操作手順に従い前記操作モードを選択するスイッチ部と、前記操作モードを直接選択する操作を行う操作部とを備えた生体情報収集装置を提供する。【選択図】図１
2006055269.tif 000002
【特許請求の範囲】
【請求項１】
生体情報を収集する機能を実行させる操作モードを記録する記録部と、
予め設定された操作手順に従い前記操作モードを選択するスイッチ部と、
前記操作モードを直接選択する操作を行う操作部と、
を備える生体情報収集装置。
【請求項２】
請求項１に記載の生体情報収集装置であって、
前記操作部は、最も使用頻度の高い操作モードを直接選択する生体情報収集装置。
【請求項３】
生体情報を収集する機能を実行させる操作モードを記録する記録部と、
予め設定された操作手順に従い前記操作モードを選択するスイッチ部と、
前記操作モードを直接選択する操作を行う第一の操作部と、
前記第一の操作部により選択される操作モードを設定する操作を行う第二の操作部と、
を備える生体情報収集装置。
【請求項４】
請求項３に記載の生体情報収集装置であって、
第一の操作部は第二の操作部の機能を兼ねる構成とした生体情報収集装置。
【発明の詳細な説明】
【技術分野】
【０００１】
本発明は、患者及びその家族が家庭に居ながらにして各種測定機器により自分自身及び患者の生体の様々な情報を採取し、その情報を健康管理に用いる、あるいは病院に伝送することにより医師による遠隔診断を行うことを可能とする生体情報収集装置に関するものである。
【背景技術】
【０００２】
従来より、各種医療用具を用いることにより自分自身あるいは患者の様々な生体情報を採取し、その生体情報を用いて健康管理を行う、あるいはそうして得られた生体情報を病院等に伝送することにより医師等による遠隔診療を実現するという生体情報収集装置が考案されている。
【０００３】
このような機器を用いることにより患者の側にとっては、病院等に出向いて体温、血圧等の生体情報を測定する必要を回避することが可能となり、身体への負担の低減と拘束時間の低減が可能となる。また、医師等の側にとっても一人の患者の診療にかけることのできる診療時間を短縮することが可能となり、診療の質的な向上が可能となる。すなわち、従来の医療行為と比較すると、患者と医師等の双方にとっての利便性の向上を可能とするという特徴を有するものである。
【０００４】
近年では、通院診療と遜色のない遠隔診療を実現するために、生体情報収集装置に複数の機能が加えられている。例えば、数値結果で表現困難である顔色や傷具合、皮膚状態等の生体情報を医師側に伝えるため、カメラユニットを搭載した生体情報収集装置などが考案されている（特許文献１）。
【特許文献１】特開２００２−３４９３５号公報
【０００５】
ところで本来、生体情報収集装置は、在宅医療を必要とする患者あるいは患者家族が操作を行うため、操作を簡便に取り扱えるよう配慮する必要がある。
【０００６】
しかしながら、複数の機能が備えられた生体情報収集装置は、患者等の使用者にとって日常的に使用する機能が限定されているにも関わらず所望の機能を使用するまでの操作手順が複雑であり、操作性が悪かった。
【発明の開示】
【発明が解決しようとする課題】
【０００７】
本発明は、上記事情を鑑みてなされたもので、操作性の良い生体情報収集装置を提供することを目的とする。
【課題を解決するための手段】
【０００８】
本発明の生体情報収集装置は、生体情報を収集する機能を実行させる操作モードを記録する記録部と、予め設定された操作手順に従い前記操作モードを選択するスイッチ部と、前記操作モードを直接選択する操作を行う操作部とを備えるものである。
【０００９】
これにより、使用者は予め設定された操作手順に従ってスイッチ部を複数回操作することなく操作部の操作により操作モードを直接選択することができ、操作モードを簡単かつ正確に選択することができる。
【００１０】
また、本発明の一態様として、上記生体情報収集装置であって、前記操作部は最も使用頻度の高い操作モードを直接選択するものとする。
【００１１】
これにより、簡単かつ正確な操作で最も使用頻度の高い操作モードを選択することで、作業効率が向上する。
【００１２】
本発明の生体情報収集装置は、生体情報を収集する機能を実行させる操作モードを記録する記録部と、予め設定された操作手順に従い操作モードを選択するスイッチ部と、前記記録部の操作モードを直接選択する操作を行う第一の操作部と、前記第一の操作部により選択される操作モードを設定する操作を行う第二の操作部とを備えるものである。
【００１３】
これにより、使用者は予め設定された操作手順に従ってスイッチ部を複数回操作することなく第一の操作部の操作により操作モードを直接選択することができ、操作モードを簡単かつ正確に選択ができる。
また、使用者は、第二の操作部の操作によって第一の操作部の操作により選択される操作モードを任意に設定することができる。
【００１４】
また、本発明の一態様として、前記生体情報収集装置であって、第一の操作部は第二の操作部の機能を兼ねる構成としたものとする。
【００１５】
これにより、前記生体情報収集装置上に設置される操作部は一体化され、コンパクトな構成とすることが可能となる。また、操作部の部品の数も減らすことができ、コスト低減を図ることができる。
【発明の効果】
【００１６】
本発明によれば、生体情報を収集する機能を実行させる操作モードを簡単かつ正確に選択することができ、操作性の良い生体情報収集装置を提供することができる。
【発明を実施するための最良の形態】
【００１７】
（実施の形態１）
以下、本発明の実施の形態１について、図面を用いて説明する。
図１に本発明の実施の形態１における生体情報収集装置の斜視図を示す。
【００１８】
図１において、生体情報収集装置本体１は、本体１と医療用具とを接続する接続部３と、数字や文字等を入力する際に使用されるスイッチ部４と、特定の操作モードを直接選択する第一の操作部５と、ＬＣＤ等で構成された表示部６と、その周囲を支える樹脂製のフレーム７とを有する構成である。
【００１９】
なお、操作モードとは、生体情報を収集する機能を実行させるものである。
具体例としては、生体情報を計測する際に使用される機能を組み合わせた操作モードである測定モードがある。また、測定する生体情報により、血圧測定モード、体重測定モード、心電図測定モードなどがある。他には、遠隔診療の際に使用される機能を組み合わせた操作モードである遠隔診療モード、医師からの診断結果を管理する際に使用される機能を組み合わせた操作モードであるデータ管理モードなどがある。
【００２０】
接続部３は、生体情報収集装置本体１と各種生体情報等を計測する為の体温計、あるいは血圧計等の医療用具とを接続し、生体情報等の送受信を可能とするものである。スイッチ部４は、操作手順に従って操作モードを選択する場合、あるいは生体情報等を伝送する場合、医師等からの質問等に回答する際に用いられる数字や文字等を入力する場合等に使用されるものである。
【００２１】
図２に本発明の実施の形態１における生体情報収集装置の背面図を示す。
図２において、送受信部８は信号線等を用いて電話回線等の一般公衆回線と接続し、生体情報等を病院等に勤務している医師等に送信する、あるいはその医師等からの情報や指示、アドバイス等を受信する際に使用されるものである。電源コード９は生体情報収集装置本体１と商用電源を接続させるときに使用されるものである。
【００２２】
図３に医療用具の一例（血圧計１０）を示す。
図３において、血圧計１０は、その本体部分に測定ボタン１１、及び測定した生体情報のデータを生体情報収集装置本体１に送信する送信ボタン１２を有している。さらに、測定する場合に患者の上腕部に装着する部分である装着部１３と、生体情報収集装置本体１の接続部３とリード線１４を介して接続される送信部１５も有する構成となっている。
【００２３】
図４に生体情報収集装置の各部の接続関係を示す。
図４において、制御部１６は、複数の電子部品により構成されており、スイッチ部４、表示部６、記憶部１８、第一の操作部５の動作を制御するものである。電源部１７は、電源コード９から供給される電力を低電圧の電力に変換した後、制御部１６に供給する。記録部１８には複数の操作モードと、最も頻繁に使用されている操作モードを特定する特定情報とが記録されている。制御部１６は、各操作モードのそれまでの使用回数を集計しその集計結果から最も頻繁に使用されている操作モードを特定しその特定情報を記録部に記録する制御と、第一の操作部が操作されたことを検出し前記特定情報に基づいて操作モードを選択する制御とを行っている。
【００２４】
以上のように構成された生体情報収集装置において、以下にその動作を説明する。使用者は前記生体情報収集装置を用いて日常的に血圧測定を行っているものとし、最も頻繁に使用されている操作モードとして血圧測定モードが特定されているものとする。
【００２５】
まず、使用者は生体情報収集装置本体１を起動する。次に、血圧計の装着部１３を上腕等に装着し、本体１の接続部３を介して血圧計１０と本体１を接続する。このとき、血圧計１０は本体１に接続される。
【００２６】
次に使用者は第一の操作部を操作する。このとき制御部１６は第一の操作部が操作されたことを検出し、前記特定情報に基づき最も頻繁に使用されている操作モードである血圧測定モードを記録部１８から選択する制御を行う。前記操作の結果、血圧測定モードが使用可能になる。また、制御部１６は、前記操作により血圧測定モードが選択され使用されたことを含めて各操作モードの使用回数を集計し、その集計結果をもとに最も頻繁に使用されている操作モードを特定し、その特定情報を記録部に記録する制御を行う。
【００２７】
これによって、使用者は、予め設定された操作手順に従ってスイッチ部を複数回操作することなく、操作部を直接操作することにより、最も頻繁に使用されている操作モードを簡単かつ正確に選択することが可能となる。
【００２８】
ところで、およそ生体情報収集装置にあっては、その装置の存在意義から生体情報を計測する際に使用される機能を組み合わせた操作モードである測定モードが最も頻繁に使用される操作モードである。従って、予め最も頻繁に使用される操作モードを測定モードと設定しても良い。
【００２９】
また、図１において、第一の操作部は押しボタンとして例示されているが、本発明は何らこれに限定されるものではない。例えば、押しボタンに代えて表示部６に所定のマークを表示させ、そのマークを選択するなどして特定の操作モードを直接選択する構成であってもその効果は同等である。
【００３０】
（実施の形態２）
次に、本発明の実施の形態２について図面を用いて説明する。
図５に本発明の実施の形態２の生体情報収集装置の斜視図を示す。
【００３１】
図５において、生体情報収集装置本体１は、生体情報等の送受信を可能とする接続部３と、数字や文字等を入力する際に使用されるスイッチ部４と、特定の操作モードを直接選択する第一の操作部５と、前記第一の操作部により選択される操作モードを設定する操作を行う第二の操作部１９と、ＬＣＤ等で構成された表示部６と、その周囲を支える樹脂製のフレーム７とを有する構成である。
【００３２】
図６に生体情報収集装置の各部の接続関係を示す。
図６において、制御部１６は、複数の電子部品により構成されており、スイッチ部４、表示部６、記録部１８、第一の操作部５、第二の操作部１９の動作を制御するものである。電源部１７は、電源コード９から供給される電力を低電圧の電力に変換した後、制御部１６に供給する。制御部１６は前記第二の操作部１９が操作されたことを検出すると、そのとき使用されている操作モードを第一の操作部５の操作により直接選択される操作モードとして設定し、その設定情報を記録部に記録する制御を行う。記憶部１８には複数の操作モードと前記設定情報が記録されている。
【００３３】
以上のように構成された生体情報収集装置において、以下にその動作を説明する。患者あるいはその家族等の使用者が血圧の測定を行う場合の操作手順に沿って、生体情報収集装置の動作を説明する。使用者は、第二の操作部の操作により、第一の操作部の操作により直接選択される操作モードを血圧測定モードと予め設定しているとする。
【００３４】
まず、使用者は生体情報収集装置本体１を起動する。次に、血圧計の装着部１３を上腕等に装着し、本体１の接続部３により、血圧計２と本体１を接続する。このとき、血圧計１０は本体１に接続される。
【００３５】
次に使用者は第一の操作部を操作することで、予め設定された操作モードを直接選択する。このとき制御部１６は第一の操作部が操作されたことを検出した後、前記設定情報に基づき操作モードを選択する制御を行う。その結果、血圧測定モードが使用可能になる。
【００３６】
これによって、使用者は予め設定された操作手順に従ってスイッチ部を複数回操作することなく第一の操作部を直接操作することで、第二の操作部の操作によって使用者が予め設定した操作モードを簡単かつ正確に選択することができる。
【００３７】
なお、本実施の形態では、図５に示すように、第一の操作部と第二の操作部を別々に設置する構成の実施の形態について説明したが、本発明は何らこれに限定されるものではない。例えば、シーソー型のスイッチ等を用いて第一の操作部と第二の操作部との両方の機能を兼ね備えた操作部を一体化して設置する構成としても良い。
【００３８】
これによって、第一の操作部と第二の操作部との両方の操作部を設置することなく、操作部を一体化して生体情報収集装置上に設置すればよいので、コンパクトな構成とすることができる。また、操作部の部品の数も減らすことができ、コスト低減を図ることができる。
【産業上の利用可能性】
【００３９】
本発明の生体情報収集装置は、生体情報を収集する機能を実行させる操作モードを簡単かつ正確に選択することができ操作性が良いという効果を有し、患者及びその家族が家庭に居ながらにして各種測定機器により自分自身及び患者の生体の様々な情報を採取し、その情報を健康管理に用いる、あるいは病院に伝送することにより医師による遠隔診断を行うことを可能とする生体情報収集装置として有用である。
【図面の簡単な説明】
【００４０】
【図１】本発明の実施の形態１の生体情報収集装置を示す斜視図
【図２】本発明の実施の形態１の生体情報収集装置を示す背面図
【図３】医療用具の一例（血圧計）を示す外観図
【図４】本発明の実施の形態１の生体情報収集装置の各部の接続関係を示す図
【図５】本発明の実施の形態２の生体情報収集装置を示す斜視図
【図６】本発明の実施の形態２の生体情報収集装置の各部の接続関係を示す図
【符号の説明】
【００４１】
１  生体情報収集装置本体
３  接続部
４  スイッチ部
５  第一の操作部
６  表示部
７  フレーム
８  送受信部
９  電源コード
１０  血圧計
１６  制御部
１７  電源部
１８  記録部
１９  第二の操作部
【図１】
2006055269.tif 000003
【図２】
2006055269.tif 000004
【図３】
2006055269.tif 000005
【図４】
2006055269.tif 000006
【図５】
2006055269.tif 000007
【図６】
2006055269.tif 000008